(57)【要約】【課題】常法の圧延によって製造される、伸びフランジ性、高強度、耐食性を各々兼備した７０００系アルミニウム合金板を提供する。【解決手段】常法によって製造された７０００系アルミニウム合金板の組織を、等軸で微細な再結晶組織とした上で、これらの結晶粒のうち、Ｃｕｂｅ方位を有する結晶粒とＣＲ方位を有する結晶粒とを一定の相互割合で一定量以上存在させるとともに、更に前記結晶粒のうち、Ｂｒａｓｓ方位を有する結晶粒、Ｓ方位を有する結晶粒、Ｃｕ方位を有する結晶粒を規制し、強度と成形性のバランスを向上させ、伸びフランジ性を向上させる。【選択図】なし【特許請求の範囲】
【請求項１】
質量％で、Ｚｎ：３．０〜６．０％、Ｍｇ：１．５〜４．５％、Ｃｕ：０．０５〜０．５％を各々含有し、残部がＡｌ及び不可避的不純物からなり、
等軸な再結晶組織として、平均結晶粒径が５０μｍ以下であるとともに、
これらの結晶粒のうち、Ｃｕｂｅ方位を有する結晶粒の面積率[Ｃｕｂｅ]とＣＲ方位を有する結晶粒の面積率[ＣＲ]とが、
[Ｃｕｂｅ]＋[ＣＲ]≧１０％、
０．３３≦[Ｃｕｂｅ]／[ＣＲ]≦３．０の関係を各々満足するとともに、
前記結晶粒のうち、Ｂｒａｓｓ方位を有する結晶粒の面積率[Ｂｒａｓｓ]と、Ｓ方位を有する結晶粒の面積率[Ｓ]と、Ｃｕ方位を有する結晶粒の面積率[Ｃｕ]とが、
[Ｂｒａｓｓ]＋[Ｓ]＋[Ｃｕ]＜３０％の関係を満足する、
集合組織を有することを特徴とするアルミニウム合金板。
【請求項２】
前記アルミニウム合金板が、更に、質量％で、Ｚｒ：０．０２〜０．３％、Ｍｎ：０．０５〜１．５％、Ｃｒ：０．０５〜０．３％、Ｓｃ：０．０２〜０．３％の１種又は２種以上を含む請求項１に記載のアルミニウム合金板。
【請求項３】
前記アルミニウム合金板が、更に、質量％で、Ａｇ：０．０１〜０．２％、Ｓｎ：０．００１〜０．１％の１種又は２種を含む請求項１または２に記載のアルミニウム合金板。
【請求項４】
前記アルミニウム合金板が、更に、質量％で、Ｔｉ：０．００１〜０．１％を含む請求項１乃至３のいずれか１項に記載のアルミニウム合金板。
【発明の詳細な説明】
【技術分野】
【０００１】
本発明は、伸びフランジ性、高強度、耐食性を各々兼備し、通常の圧延によって製造される、７０００系アルミニウム合金板に関するものである。
【背景技術】
【０００２】
構造材料として自動車の例を取ると、近年、地球環境などへの配慮から、自動車車体の軽量化の社会的要求はますます高まってきている。かかる要求に答えるべく、自動車車体のうち、パネル（フード、ドア、ルーフなどのアウタパネル、インナパネル）や、バンパリーンフォース（バンパーＲ／Ｆ）やドアビームなどの補強材などを、部分的に鋼板等の鉄鋼材料に代えて、アルミニウム合金材料を適用することが行われている。
【０００３】
ただ、自動車車体のより軽量化のためには、自動車部材のうちでも特に軽量化に寄与する、フレーム、ピラーなどの構造部材にも、アルミニウム合金材料の適用を拡大することが必要となる。ただ、これら自動車構造部材は、要求される０．２％耐力が３５０ＭＰa以上であるなど、前記自動車パネルに比べて、高強度化が必要である。このような高強度な自動車構造部材には、同じような高強度が要求される前記補強材として使用されているＪＩＳ乃至ＡＡ  ７０００系アルミニウム合金を用いる必要がある。
【０００４】
これら７０００系アルミニウム合金のうち、熱間押出加工により製造される押出材は、バンパ補強材やドアビームなどの自動車構造部材の補強材として、既に汎用されている。これに対して、鋳塊を均熱処理後に熱間圧延する、あるいは更に冷間圧延するような、常法によって製造される圧延板は、高合金ゆえのつくりにくさもあって、これまであまり実用化されていない。
【０００５】
ただ近年、この高強度な７０００系アルミニウム合金圧延板（以下、７０００系アルミニウム合金板、あるいは単に板とも言う）を、鋼板等の鉄鋼材料に代えて、自動車構造部材を始め、自転車、鉄道車両などの構造部材に適用する検討が行われている。
【０００６】
７０００系アルミニウム合金板を構造部材に適用する場合には、素材板を構造部材形状にプレス成形などの加工を行う。この際、構造部材として他の部材との、取り付けやボルト等の機械的接合のために、伸びフランジ加工（バーリング加工、穴拡げ加工)が必要となる。このため、これらの構造部材用の７０００系アルミニウム合金板は、この伸びフランジ加工における加工性（成形性）が必要で、このために板の伸びフランジ性をより向上させる必要がある。
【０００７】
しかし、この伸びフランジ性について、７０００系アルミニウム合金板の特性を向上させた技術は、これまで殆ど提案がない。
【０００８】
ちなみに、７０００系アルミニウム合金押出材の分野では、その実用化の早さや多さに比例して、強度と耐ＳＣＣ性を向上させるための、組成制御例や析出物などの組織制御例が多数存在する。これに対して、７０００系アルミニウム合金板における、組成や析出物、集合組織などの組織の制御例は、板での実用化例の少なさに比例して、元々数が少ない。
【０００９】
この数少ない７０００系アルミニウム合金板の集合組織の制御例として、特許文献１、２では、構造材用の板の高強度化、高耐ＳＣＣ性化を図るために、鋳塊を鍛造後に、温間加工域にて繰り返して圧延して、板組織を細かくしている。これは、板組織を細かくすることによって、耐ＳＣＣ性低下の原因となる粒界と粒内との電位差の要因となる、方位差が２０°以上の大傾角粒界を抑制して、３〜１０°の小傾角粒界が２５％以上である集合組織を得るためである。ただ、特許文献１、２が、このような特殊な温間圧延の繰り返しを行うのは、通常の熱間圧延、冷間圧延の製造方法では、このような小傾角粒界が多い集
合組織を得ることができないためである。したがって、通常の製造方法とは、その工程が大きく異なるため、板の製造方法としては実用的ではない。
【００１０】
なお、この集合組織の制御に関して、７０００系アルミニウム合金の板ではなく押出材ではあるが、特許文献３では、温間加工性に優れさせるために、亜結晶粒からなる繊維状組織で構成し、主方位がＢｒａｓｓ方位であり、ＯＤＦ（結晶方位分布関数）で表現されるＢｒａｓｓ方位への集積度がランダム方位の１０倍以上とした集合組織の提案もある。
【先行技術文献】
【特許文献】
【００１１】
【特許文献１】特開２００１−３３５８７４号公報
【特許文献２】特開２００２−２４１８８２号公報
【特許文献３】特開２００９−１１４５１４号公報
【発明の概要】
【発明が解決しようとする課題】
【００１２】
以上の通り、７０００系アルミニウム合金板について、伸びフランジ性を向上させた技術、そして、構造部材用として、この伸びフランジ性と、高強度、そして耐食性を兼備させることについては、これまで殆ど提案がない。このため、通常の圧延によって製造される７０００系アルミニウム合金板に、伸びフランジ性、高強度、耐食性を各々兼備させる組織制御技術については、未だ有効な手段が不明で、解明乃至改善の余地がある。
【００１３】
このような状況に鑑み、本発明の目的は、７０００系アルミニウム合金板に、伸びフランジ性、高強度、耐食性を各々兼備させる組織制御技術を提案することである。そして、伸びフランジ性、高強度、耐食性を各々兼備し、通常の圧延によって製造される構造部材用の７０００系アルミニウム合金板を提供することである。
【課題を解決するための手段】
【００１４】
この目的を達成するために、本発明の構造部材用アルミニウム合金板の要旨は、質量％で、Ｚｎ：３．０〜６．０％、Ｍｇ：１．５〜４．５％、Ｃｕ：０．０５〜０．５％を各々含有し、残部がＡｌ及び不可避的不純物からなり、
等軸な再結晶組織として、平均結晶粒径が５０μｍ以下であるとともに、
これらの結晶粒のうち、Ｃｕｂｅ方位を有する結晶粒の面積率[Ｃｕｂｅ]とＣＲ方位を有する結晶粒の面積率[ＣＲ]とが、
[Ｃｕｂｅ]＋[ＣＲ]≧１０％、
０．３３≦[Ｃｕｂｅ]／[ＣＲ]≦３．０の関係を各々満足するとともに、
前記結晶粒のうち、Ｂｒａｓｓ方位を有する結晶粒の面積率[Ｂｒａｓｓ]と、Ｓ方位を有する結晶粒の面積率[Ｓ]と、Ｃｕ方位を有する結晶粒の面積率[Ｃｕ]とが、
[Ｂｒａｓｓ]＋[Ｓ]＋[Ｃｕ]＜３０％の関係を満足する、
集合組織を有することとする。
【発明の効果】
【００１５】
本発明では、溶体化および焼入れ処理後の７０００系アルミニウム合金板の集合組織に着目して、伸びフランジ性との関係を解析した。その結果、伸びフランジ性は、特定の集合組織の量的関係が支配していることを見出し、それらを精緻に制御することで、強度と成形性のバランスを向上させたものである。
【００１６】
本発明では、通常の圧延法によって製造された７０００系アルミニウム合金板の組織を、等軸で微細な再結晶組織とした上で、これらの結晶粒のうち、Ｃｕｂｅ方位を有する結晶粒とＣＲ方位を有する結晶粒とを一定の相互割合で一定量以上存在させるとともに、更に前記結晶粒のうち、Ｂｒａｓｓ方位を有する結晶粒、Ｓ方位を有する結晶粒、Ｃｕ方位を有する結晶粒を規制する。そして、これによって、強度と成形性のバランスを向上させ、伸びフランジ性を向上させる。そして、前記７０００系アルミニウム合金板に、伸びフランジ性、高強度、耐食性を各々兼備させる。
【発明を実施するための形態】
【００１７】
本発明で言うアルミニウム合金板とは、鋳塊を均熱処理後に熱間圧延され、更に冷間圧延された冷延板であって、更に溶体化処理などの調質が施される、通常の圧延法によって製造された７０００系アルミニウム合金板のことを言う。言い換えると、前記特許文献１、２のような、鋳塊を鍛造した上で温間圧延を何回も繰り返すような特殊な圧延方法や製法により製造される板を含まない。
【００１８】
このような７０００系アルミニウム合金板は、本発明で課題とする伸びフランジ性が要求される伸びフランジ加工（バーリング加工、穴拡げ加工)などを含む、プレス成形や加工が施された上で、自動車、自転車、鉄道車両などの構造部材とされる。
【００１９】
以下に、本発明の実施の形態につき、要件ごとに具体的に説明する。
【００２０】
アルミニウム合金組成：
先ず、本発明アルミニウム合金板の化学成分組成について、各元素の限定理由を含めて、以下に説明する。なお、各元素の含有量の％表示は全て質量％の意味である。
【００２１】
本発明アルミニウム合金板の化学成分組成は、Ａｌ−Ｚｎ−Ｍｇ−Ｃｕ系の７０００系アルミニウム合金として、自動車構造部材に要求される、伸びフランジ性、強度、耐ＳＣＣ性などの諸特性を保証するために決定される。この観点から、本発明アルミニウム合金板の化学成分組成は、質量％で、Ｚｎ：３．０〜６．０％、Ｍｇ：１．５〜４．５％、Ｃｕ：０．０５〜０．５％を各々含有し、残部がＡｌ及び不可避的不純物からなるものとする。この組成に、更に、質量％で、Ｚｒ：０．０２〜０．３％、Ｍｎ：０．０５〜１．５％、Ｃｒ：０．０５〜０．３％、Ｓｃ：０．０２〜０．３％の１種又は２種以上を含んでも良い。これに加えて、あるいはこれとは別に、質量％で、Ａｇ：０．０１〜０．２％、Ｓｎ：０．００１〜０．１％の１種又は２種を選択的に含んでも良い。また、これらに加えて、あるいはこれらとは別に、Ｔｉ：０．００１〜０．１％を含んでも良い。
【００２２】
Ｚｎ：３．０〜６．０％
必須の合金元素であるＺｎは、Ｍｇとともに、溶体化処理後の室温時効時にクラスタ（微細析出物）を形成して加工硬化特性を向上させる。また、人工時効処理時に時効析出物を形成して強度を向上させる。Ｚｎ含有量が３．０％未満では強度が不足し、また集合組織を規定通りに制御できず、強度と成形性とのバランスが低下する可能性もある。一方Ｚｎが６．０％を超えると粒界析出物ＭｇＺｎ２が増えて粒界腐食が起こりやすくなり、耐食性が劣化する。従って、Ｚｎ含有量は３．０〜６．０％の範囲、好ましくは４．０〜５．５％の範囲とする。
【００２３】
Ｍｇ：１．５〜４．５％
必須の合金元素であるＭｇは、Ｚｎとともに、溶体化処理後の室温時効時にクラスタ（微細析出物）を形成して加工硬化特性を向上させる。また、人工時効処理時に時効析出物を形成して強度を向上させる。Ｍｇ含有量が１．５％未満では強度が不足し、４．５％を超えると、鋳造割れが発生し、また板の圧延性が低下し、板の製造試作が困難になる。従って、Ｍｇ含有量は１．５〜４．５％、好ましくは２．０〜４．０％の範囲とする。
【００２４】
Ｃｕ：０．０５〜０．５％
ＣｕはＡｌ−Ｚｎ−Ｍｇ系合金の耐ＳＣＣ性を向上させる作用がある。さらに強度向上効果もある。Ｃｕ含有量が０．０５％未満では、耐ＳＣＣ性向上効果が小さい。また、強度も低下する。一方、Ｃｕ含有量が０．５％を超えると、集合組織を規定通りに制御できず、伸びフランジ性など構造部材への成形性を却って低下させる。また、圧延性及び溶接性等の諸特性も低下させる。従って、Ｃｕ含有量は０．０５〜０．５％、好ましくは０．０５〜０．４％とする。
【００２５】
Ｚｒ：０．０２〜０．３％、Ｍｎ：０．０５〜１．５％、Ｃｒ：０．０５〜０．３％、Ｓｃ：０．０２〜０．３％の１種又は２種以上
Ｚｒ、Ｍｎ、Ｃｒ及びＳｃは、鋳塊及び最終製品板の結晶粒を微細化して強度向上に寄与する。これらの元素をいずれか１種又は２種以上含有する場合、各々その下限未満では、含有量が不足して、強度向上効果が発揮できない。一方、これらの元素の含有量がそれぞれの上限を超えた場合には、粗大晶出物を形成するため伸びが低下する。従って、Ｚｒ：０．０２〜０．３％、Ｍｎ：０．０５〜１.５％、Ｃｒ：０．０５〜０．３％、Ｓｃ：０．０２〜０．３％の各範囲とする。
【００２６】
Ａｇ：０．０１〜０．２％、Ｓｎ：０．００１〜０．１％の１種又は２種
Ａｇ及びＳｎは、構造材への成形加工後の人工時効処理によって強度向上に寄与する時効析出物を緊密微細に析出させ、高強度化を促進する効果があるので、必要に応じて選択的に含有させる。これらをいずれか一方又は両方含有する場合、Ｓｎ含有量が０．００１％未満、Ａｇ含有量が０．０１％未満では、強度向上効果が小さい。一方、ＳｎやＡｇ含有量が多すぎると、圧延性及び溶接性などの諸特性を却って低下させる。また、強度向上効果も飽和し、Ａｇに関しては高価となるだけである。従って、Ａｇ：０．０１〜０．２％、Ｓｎ：０．００１〜０．１％の範囲とする。
【００２７】
Ｔｉ：０．００１〜０．１％
Ｔｉは、Ｂとともに、圧延板としては不純物であるが、アルミニウム合金鋳塊の結晶粒を微細化する効果があるので、７０００系合金としてＪＩＳ規格で規定する範囲での各々の含有を許容する。Ｔｉが０．００１％未満では結晶粒微細化効果が得られない。一方、Ｔｉが０．１％を超える場合、粗大な化合物を形成し、機械的特性が劣化する。従って、Ｔｉの上限は０．１％、好ましくは０．０５％以下とする。また、このＴｉとともに、Ｂを０.０３％まで含有することを許容する。Ｂが０．０３％を超える場合、粗大な化合物を形成し、機械的特性が劣化する。
【００２８】
その他の元素：
これら記載した以外のその他の元素は不可避的な不純物である。溶解原料として、純アルミニウム地金以外に、アルミニウム合金スクラップの使用による、これら不純物元素の混入なども想定（許容）して、７０００系合金のＪＩＳ規格で規定する範囲での各々の含有を許容する。また、Ｆｅ：０．５％以下、Ｓｉ：０．５％以下であれば、本発明に係るアルミニウム合金板の特性に影響せず、含有が許容される。
【００２９】
組織：
本発明の７０００系アルミニウム合金板は、前提として、その組成と多くの製造工程とが、従来の７０００系アルミニウム合金板や、その製造方法（通常の圧延法）と共通する。このため、板組織として、微細なナノレベルのサイズの析出物が、結晶粒内に多数存在して、強度や耐食性などの基本特性を満たす土台となっている点も共通している。これらの微細なナノレベルのサイズの析出物とは、結晶粒内に生成する、前記ＭｇとＺｎとの金属間化合物（組成はＭｇＺｎ２など）であり、これに前記組成に応じて更にＣｕ、Ｚｒなどの含有元素が含まれる微細分散相である。
【００３０】
集合組織：
その上で、本発明の７０００系アルミニウム合金板組織は、更なる高強度化や耐食性などの特性の向上のために、平均結晶粒径を５０μｍ以下とした等軸で微細な再結晶組織とする。
【００３１】
Ｃｕｂｅ方位、ＣＲ方位：
そして、更に、これらの結晶粒のうち、先ず、Ｃｕｂｅ方位を有する結晶粒とＣＲ方位を有する結晶粒とを、一定量以上存在させるとともに、互いの量的な割合も特定の範囲とする。そして、これによって、強度と成形性のバランスを向上させ、伸びフランジ性を向上させる。すなわち、Ｃｕｂｅ方位を有する結晶粒の面積率[Ｃｕｂｅ]とＣＲ方位を有する結晶粒の面積率[ＣＲ]との合計が１０％以上である、[Ｃｕｂｅ]＋[ＣＲ]≧１０％の関係を満足する集合組織を有するようにする。また、更に、[Ｃｕｂｅ]と[ＣＲ]との割合（比）が一定の範囲である、０．３３≦[Ｃｕｂｅ]／[ＣＲ]≦３．０の関係も満足する集合組織を有するようにする。
【００３２】
これらＣｕｂｅ方位を有する結晶粒とＣＲ方位を有する結晶粒とが上記規定を両方満足しなければ、強度と成形性のバランスが崩れて、伸びフランジ性を向上させることができない。また、これらＣｕｂｅ方位を有する結晶粒とＣＲ方位を有する結晶粒とが上記規定を両方満足しなければ、Ｂｒａｓｓ方位、Ｓ方位、Ｃｕ方位、Ｇｏｓｓ方位 、Ｒｏｔａｔｅｄ−Ｇｏｓｓ方位、Ｓ方位、Ｂ／Ｇ方位、Ｂ／Ｓ方位、Ｐ方位などの他の方位を存在させても、強度と成形性のバランスは向上せず、伸びフランジ性を向上させることができない。
【００３３】
Ｃｕｂｅ方位を有する結晶粒とＣＲ方位を有する結晶粒とを一定量以上存在させた集合組織とすることによって、常法によって製造された７０００系アルミニウム合金板であっても、板に歪が入った場合に、局所的に歪が集中せずに、均一に変形する組織とできる。これによって、０．２％耐力が３５０ＭＰa以上であるような高強度とし、このような高強度であっても、延性や伸びがバランスした、伸びフランジ性の高い特性を得られる。
【００３４】
このような集合組織は、前記常法によって製造されて溶体化処理された後の７０００系アルミニウム合金板の等軸な微細再結晶組織である。[Ｃｕｂｅ]＋[ＣＲ]の上限は、製造限界からすると、４０％程度である。この点で、[Ｃｕｂｅ]＋[ＣＲ]の好ましい範囲は１０％以上、４０％以下の範囲となる。
【００３５】
Ｂｒａｓｓ方位、Ｓ方位、Ｃｕ方位：
伸びフランジ性を向上させるためには、前記[Ｃｕｂｅ]と[ＣＲ]とを規定する一方で、溶体化処理時に起こる再結晶での圧延集合組織の残存量を低下させる必要がある。その目安として、Ｂｒａｓｓ方位を有する結晶粒、Ｓ方位を有する結晶粒、Ｃｕ方位を有する結晶粒を極力少なくする。圧延集合組織の残存量が多くなり、Ｂｒａｓｓ方位を有する結晶粒、Ｓ方位を有する結晶粒、Ｃｕ方位を有する結晶粒が各々多くなった場合には、強度と成形性のバランスが崩れて、伸びフランジ性を向上させることができなくなる。
【００３６】
すなわち、Ｂｒａｓｓ方位を有する結晶粒の面積率[Ｂｒａｓｓ]と、Ｓ方位を有する結晶粒の面積率[Ｓ]と、Ｃｕ位を有する結晶粒の面積率[Ｃｕ]との合計が３０％未満となる、[Ｂｒａｓｓ]＋[Ｓ]＋[Ｃｕ]＜３０％の関係を満足させるようにする。但し、製造限界から、[Ｂｒａｓｓ]＋[Ｓ]＋[Ｃｕ]を０％として、Ｂｒａｓｓ方位を有する結晶粒、Ｓ方位を有する結晶粒、Ｃｕ方位を有する結晶粒を無くすことはできない。したがって、[Ｂｒａｓｓ]＋[Ｓ]＋[Ｃｕ]が３０％未満である上記式は、[Ｂｒａｓｓ]＋[Ｓ]＋[Ｃｕ]が０％の場合を含まない。
【００３７】
集合組織の測定：
これら本発明で規定する平均結晶粒径や、各方位を有する結晶粒の面積率は、いずれもＥＢＳＰ法によって測定する。より具体的に、溶体化処理後の冷延板（Ｔ４材）の幅方向断面を機械研磨し、更に、バフ研磨に次いで電解研磨して、表面を調製した試料を用意し、ＳＥＭあるいはＦＥＳＥＭを用いて、ＥＢＳＰによる結晶方位測定並びに結晶粒径測定を行う。ＥＢＳＰ測定・解析システムは、ＥＢＳＰ：ＴＳＬ社製（ＯＩＭ）あるいはＯＸＦＯＲＤ社製（ＣＨＡＮＮＥＬ５）を用いる。板の組織の測定部位は、通常のこの種組織の測定部位と同じく、この板の幅方向断面として、この板の幅方向断面の任意の箇所から採取した５個の測定試験片（５箇所の測定箇所）の各測定値を平均化したものを、本発明で規定する平均結晶粒径や各方位を有する結晶粒の面積率とする。
【００３８】
前記ＳＥＭ／ＥＢＳＰ法は、集合組織の測定方法として汎用され、走査型電子顕微鏡（Scanning  Electron  Microscope：ＳＥＭ）あるいは電界放出型走査電子顕微鏡（Field Emission Scanning Electron Microscope:ＦＥＳＥＭ）に、後方散乱電子回折像［ＥＢＳＰ: Electron Back Scattering (Scattered) Pattern] システムを搭載した結晶方位解析法である。この測定方法は、他の集合組織の測定方法に比して、高分解能ゆえに高測定精度である。そして、この方法によって、板の同じ測定部位の平均結晶粒径も同時に高精度に測定できる利点がある。アルミニウム合金板の集合組織や平均結晶粒径の測定をＥＢＳＰ法により行うこと自体は、従来から、例えば特開２００８−４５１９２号、特許４４９９３６９号、特開２００９−７６１７号、あるいは前記特許文献１、２、３などの公報で公知であり、本発明でもこの公知の方法で行う。
【００３９】
これら開示されたＥＢＳＰ法は、前記ＳＥＭあるいはＦＥＳＥＭ（ＦＥ−ＳＥＭ）の鏡筒内にセットしたＡｌ合金板の試料に、電子線を照射してスクリーン上にＥＢＳＰを投影する。これを高感度カメラで撮影して、コンピュータに画像として取り込む。コンピュータでは、この画像を解析して、既知の結晶系を用いたシミュレーションによるパターンとの比較によって、結晶の方位が決定される。算出された結晶の各方位は３次元オイラー角として、位置座標（ｘ、ｙ）などとともに記録される。このプロセスが全測定点に対して自動的に行なわれるので、測定終了時には数万〜数十万点の結晶方位データが得られる。
【００４０】
このように、ＳＥＭ／ＥＢＳＰ法には、透過電子顕微鏡を用いた電子線回折法よりも、観察視野が広く、数百個以上の多数の結晶粒に対する、平均結晶粒径、平均結晶粒径の標準偏差、あるいは方位解析の情報を、数時間以内で得られる利点がある。また、結晶粒毎の測定ではなく、指定した領域を任意の一定間隔で走査して測定するために、測定領域全体を網羅した上記多数の測定ポイントに関する、上記各情報を得ることができる利点もある。これらＳＥＭあるいはＦＥＳＥＭにＥＢＳＰシステムを搭載した結晶方位解析法の詳細は、神戸製鋼技報/Vol.52 No.2(Sep.2002)P66-70などに詳細に記載されている。
【００４１】
ここで、アルミニウム合金板の場合、通常は、以下に示す多くの方位因子(これら各方位を有する結晶粒)からなる集合組織を形成し、それらに応じた結晶面が存在する。これらの事実は、例えば、長島晋一編著、「集合組織」（丸善株式会社刊）や軽金属学会「軽金属」解説Vol.43、1993、P285-293などに記載されている。
【００４２】
これらの集合組織の形成は同じ結晶系の場合でも加工、熱処理方法によって異なる。圧延による板材の集合組織の場合は、圧延面と圧延方向で表されており、圧延面は｛ＡＢＣ｝で表現され、圧延方向は＜ＤＥＦ＞で表現される（ＡＢＣＤＥＦは整数を示す）。かかる表現に基づき、各方位は下記の如く表現される。
Ｃｕｂｅ方位 ｛００１｝＜１００＞
Ｇｏｓｓ方位 ｛０１１｝＜１００＞
Ｒｏｔａｔｅｄ−Ｇｏｓｓ方位｛０１１｝＜０１１＞
Ｂｒａｓｓ方位（Ｂ方位） ｛０１１｝＜２１１＞
Ｃｕ方位（Ｃｏｐｐｅｒ方位）｛１１２｝＜１１１＞
（若しくはＤ方位｛４４１１｝＜１１１１８＞
Ｓ方位 ｛１２３｝＜６３４＞
Ｂ／Ｇ方位 ｛０１１｝＜５１１＞
Ｂ／Ｓ方位 ｛１６８｝＜２１１＞
Ｐ方位 ｛０１１｝＜１１１＞
【００４３】
本発明においては、基本的に、これらの結晶面から±１５°未満の方位のずれ（傾角）のものは同一の結晶面（方位因子）に属するものとする。また、隣り合う結晶粒の方位差（傾角）が５°以上の結晶粒の境界を結晶粒界と定義する。
【００４４】
そして、前記したＳＥＭあるいはＦＥＳＥＭにＥＢＳＰシステムを搭載した結晶方位解析法を用いて、前記板の集合組織を測定して、本発明で規定した[Ｃｕｂｅ]+[ＣＲ]、[Ｃｕｂｅ]／[ＣＲ]、[Ｂｒａｓｓ]+[Ｓ]+[Ｃｕ]などの算出を行なった。この際、上記記載したＣｕｂｅ方位からＰ方位までの各結晶方位（全結晶方位）の合計の面積を１００として、本発明で規定した各方位の面積率の算出を行なった。
【００４５】
なお、前記平均結晶粒径も、傾角が５°以上の粒界で測定、算出する。言い換えると、本発明では、±５°未満の方位のずれは同一の結晶粒に属するものと定義し、隣り合う結晶粒の方位差（傾角）が５°以上の結晶粒の境界を結晶粒界と定義した上で、平均結晶粒径を以下の式により算出した。平均結晶粒径＝（Σｘ）／ｎ（ここで、ｎは測定した結晶粒の数、ｘはそれぞれの結晶粒径を示す）。
【００４６】
（製造方法）
本発明の７０００系アルミニウム合金板は、鋳塊を均熱処理後に熱間圧延され、更に冷間圧延された冷延板であって、更に溶体化処理などの調質が施される、常法によって製造される。即ち、鋳造、均質化熱処理、熱間圧延の通常の各製造工程を経て製造され、板厚が２〜１０ｍｍ程度であるアルミニウム合金熱延板とされる。次いで、冷間圧延されて板厚が３ｍｍ以下の冷延板とされる。したがって、双ロール法などの薄板連続鋳造後に冷延して熱延を省略したり、温間圧延を行うような特殊な製造方法や圧延方法によっては製造されない。但し、本発明の集合組織とするための均熱条件と冷間圧延条件とは、後述する通り、常法による工程とは、その条件が特に異なる。
【００４７】
(溶解、鋳造冷却速度)
先ず、溶解、鋳造工程では、上記７０００系成分組成範囲内に溶解調整されたアルミニウム合金溶湯を、連続鋳造法、半連続鋳造法（ＤＣ鋳造法）等の通常の溶解鋳造法を適宜選択して鋳造する。
【００４８】
(均質化熱処理)
次いで、前記鋳造されたアルミニウム合金鋳塊に、熱間圧延に先立って、均質化熱処理を施す。この均質化熱処理（均熱処理）は、組織の均質化、すなわち、鋳塊組織中の結晶粒内の偏析をなくすことを目的とする。但し、この均熱処理は集合組織の形成にも大きく影響するので、本発明で規定する集合組織とするためには、この均熱処理を、通常の１回だけの均熱ではなく、２回均熱あるいは２段均熱とする。
【００４９】
２回均熱とは、１回目の均熱後に、一旦室温を含む２００℃以下の温度まで冷却し、更に、再加熱し、その温度で一定時間維持した後に、熱延を開始する。これに対して、２段均熱とは、１回目の均熱後に冷却はするものの、２００℃以下までは冷却せず、より高温で冷却を停止した上で、その温度で維持した後に、そのままの温度か、より高温に再加熱した上で熱延を開始する。
【００５０】
１回目の均熱条件は、４００℃以上、融点未満の温度範囲で、２時間以上の均質化時間の範囲から適宜選択される。
【００５１】
この１回目の均熱処理後に、２回均熱のために、一旦、室温を含む２００℃以下まで冷却するか（２回均熱）、２段均熱のために、一旦、２００℃よりも高温の温度まで冷却する（２段均熱）。この際の冷却速度は、２回均熱あるいは２段均熱とも共通して、３０℃／ｈｒ以下、好ましくは１０℃／ｈｒ以下の緩冷却とする。
【００５２】
このように冷却速度を低下させることで、冷却中に分散粒子の析出量を増大させて、それによって冷延時の圧延集合組織の発達を弱める。これによって、冷延後の溶体化処理時に起こる再結晶での圧延集合組織の残存量を低下させ、[Ｂｒａｓｓ]、[Ｓ]、[Ｃｕ]を減らすことができる。
【００５３】
また、この冷却速度を低下させることで、冷延後の溶体化処理時に起こる再結晶後のＣＲ方位、[ＣＲ]を発達させることができる。同時に、この冷却速度を低下させることで、前記した分散粒子の析出量を増大させ、マトリックスへの元素の固溶量を低下させることで、溶体化処理時に起こる再結晶後のＣｕｂｅ方位、[Ｃｕｂｅ]を適度に発達させることができる。
【００５４】
このような２回均熱あるいは２段均熱における、１回目の均熱処理後の冷却条件によって、後述する冷間圧延条件と合わせて、本発明で規定する集合組織として、[Ｃｕｂｅ]+[ＣＲ]≧１０％、０．３３≦[Ｃｕｂｅ]/[ＣＲ]≦３．０、[Ｂｒａｓｓ]+[Ｓ]+[Ｃｕ]＜３０％を満足させることができる。この冷却条件から外れるか、通常の１回の均熱処理では、後述する冷間圧延条件が好ましい範囲内で行われたとしてもて、本発明で規定する集合組織が得られず、[Ｃｕｂｅ]+[ＣＲ]が１０％未満か、０．３３≦[Ｃｕｂｅ]/[ＣＲ]≦３．０とならない可能性が高くなる。また、冷延時の圧延集合組織が発達しすぎて、冷延後の溶体化処理時に起こる再結晶での圧延集合組織の残存量が過大となって、[Ｂｒａｓｓ]、[Ｓ]、[Ｃｕ]を減らすことができず、[Ｂｒａｓｓ]+[Ｓ]+[Ｃｕ]が３０％以上となる可能性が高くなる。
【００５５】
２回目あるいは２段目の均熱温度は、熱延開始温度以上、５００℃以下の温度範囲で２時間以上の均質化時間の範囲から、前記１回目よりも低温の温度まで再加熱し、熱延開始温度まで冷却するか、あるいは熱延開始温度やその近傍で保持すれば良い。
【００５６】
(熱間圧延)
熱間圧延は、熱延開始温度が固相線温度を超える条件では、バーニングが起こるため熱延自体が困難となる。また、熱延開始温度が３５０℃未満では熱延時の荷重が高くなりすぎ、熱延自体が困難となる。したがって、熱延開始温度は３５０℃〜固相線温度の範囲から選択して熱間圧延し、２〜１０ｍｍ程度の板厚の熱延板とする。この熱延板の冷間圧延前の焼鈍 (荒鈍) は必ずしも必要ではないが実施しても良い。
【００５７】
(冷間圧延)
冷間圧延では、上記熱延板を圧延して、自動車構造部材用としては１〜５ｍｍ程度の所望の最終板厚の冷延板 (コイルも含む) に製作する。この際、本発明で規定する集合組織を形成させるために、冷延工程を複数回行い、最終の冷延工程前に必ず中間焼鈍を行う。最終の冷延工程前に中間焼鈍を行わない場合、後述する最終回の冷延工程における冷延率を３０％以上とした場合には、冷延時の圧延集合組織が発達しすぎて、冷延後の溶体化処理時に起こる再結晶での圧延集合組織の残存量が過大となって、[Ｂｒａｓｓ]、[Ｓ]、[Ｃｕ]を３０％未満に減らすことができない。
【００５８】
この冷延工程の回数は、熱延板の板厚と冷延板の最終板厚との関係で自由に選択され、この１回当たりの冷延工程における冷間圧延機への板（コイル）のパス回数も自由に選択される。
【００５９】
但し、選択した冷延工程回数における、最終回の（最終の中間焼鈍後の）冷延工程における冷延率は、本発明で規定する集合組織として、[Ｃｕｂｅ]+[ＣＲ]≧１０％、０．３３≦[Ｃｕｂｅ]/[ＣＲ]≦３．０、を得るために、３０％以上とする。この最終回の冷延工程における冷延率が３０％未満では、それ以前の（最終の中間焼鈍前の）冷延工程における冷延率が例え３０％以上の高い圧下率であったとしても、このような集合組織が得られず、[Ｃｕｂｅ]+[ＣＲ]が１０％未満か、０．３３≦[Ｃｕｂｅ]/[ＣＲ]≦３．０とならない。
【００６０】
この際、１回当たりの冷延工程における冷間圧延のパス間で中間焼鈍を行っても良く、更には冷間圧延を行う前に中間焼鈍を行なっても良い。以上の中間焼鈍温度は、４００〜５５０℃の範囲で、用いる連続炉やバッチ炉での通板条件に応じた適当な所要時間が選択される。
【００６１】
このような冷延条件とすることで、冷延後の溶体化処理時に起こる再結晶後の、ＣＲ方位や[ＣＲ]、Ｃｕｂｅ方位や[Ｃｕｂｅ]を適度に発達させることができる。また、冷延時の圧延集合組織の発達を弱め、冷延後の溶体化処理時に起こる再結晶での圧延集合組織の残存量を低下させ、[Ｂｒａｓｓ]、[Ｓ]、[Ｃｕ]を減らすことができる。すなわち、前記２回均熱あるいは２段均熱における１回目の均熱処理後の冷却条件と合わせて、本発明で規定する集合組織として、[Ｃｕｂｅ]+[ＣＲ]≧１０％、０．３３≦[Ｃｕｂｅ]/[ＣＲ]≦３．０、[Ｂｒａｓｓ]+[Ｓ]+[Ｃｕ]＜３０％を満足させることができる。
【００６２】
一方、このような好ましい冷延条件から外れた場合、前記２回均熱あるいは２段均熱における１回目の均熱処理後の好ましい冷却条件としても、本発明で規定する集合組織が得られない可能性が高くなる。
【００６３】
(溶体化処理)
冷間圧延後は調質として溶体化処理を行う。この溶体化処理については、通常の連続熱処理ラインによる加熱，冷却でよく、特に限定はされない。ただ、各元素の十分な固溶量を得ることや結晶粒の微細化のためには、４５０〜５５０℃の溶体化処理温度とすることが望ましい。
【００６４】
溶体化処理時の加熱（昇温）速度は平均で０．０１℃/s以上、１００℃/s以下の範囲とすることが望ましい。平均加熱速度が０．０１℃/s未満と小さすぎては、粗大な結晶粒が生じて、溶体化処理後の組織を、等軸な再結晶組織として、平均結晶粒径が５０μｍ以下であることや、[Ｃｕｂｅ]と[ＣＲ]、[Ｂｒａｓｓ]と[Ｓ]と[Ｃｕ]とを規定した集合組織とすることができない。一方、溶体化処理炉の設備能力の限界から、平均加熱速度は１００℃/sを超えて大きくはできない。
【００６５】
なお、溶体化処理後の平均冷却（降温）速度は特に問わないが、溶体化処理後の冷却は、ファンなどの空冷、ミスト、スプレー、浸漬等の水冷手段など、強制的な冷却手段や条件を各々選択して用いる。ちなみに、溶体化処理は基本的に１回のみであるが、室温時効硬化が進みすぎた場合などには、自動車部材への成形性の確保のため、溶体化処理を前記好ましい条件にて再度施して、この進みすぎた室温時効硬化を一旦キャンセルしても良い。
【００６６】
そして、本発明のアルミニウム合金板は、素材として、伸びフランジ性が要求される伸びフランジ加工（バーリング加工、穴拡げ加工)などを含む、プレス成形や加工が施された上で、自動車、自転車、鉄道車両などの構造部材とされる。また、成形性の確保の点で、これら構造部材に成形や加工された後で、別途、必要に応じて、人工時効硬化処理されて高強度される。
【００６７】
（人工時効硬化処理）
この人工時効硬化処理は、一般的な人工時効条件（Ｔ６、Ｔ７）で良く、温度や時間の条件は、所望の強度や素材の７０００系アルミニウム合金板の強度、あるいは室温時効の進行程度などから自由に決定される。例示すると、１段の時効処理であれば、１００〜１５０℃での時効処理を１２〜３６時間（過時効領域を含む）行う。また、２段の工程においては、１段目の熱処理温度が７０〜１００℃の範囲で２時間以上、２段目の熱処理温度が１００〜１７０℃の範囲で５時間以上の範囲（過時効領域を含む）から選択する。
【実施例】
【００６８】
下記表１に示す各成分組成の７０００系アルミニウム合金の冷延板の集合組織を、表２のように製造条件を変えて種々変えたものについて、強度などの機械的な特性と伸びフランジ性との関係を評価した。これらの結果を下記表３に示す。
【００６９】
冷延板の集合組織は、主として、表２に示すように、均熱条件と冷延条件とを変えて制御した。具体的には、各例とも共通して、下記表１に示す各成分組成の７０００系アルミニウム合金溶湯をＤＣ鋳造し、４５ｍｍ厚み×２２０ｍｍ幅×１４５ｍｍ長さの鋳塊を得た。この鋳塊を表２の通り均質化熱処理後に熱間圧延を行い、７ｍｍあるいは１０ｍｍの板厚の熱延板を製造し、この熱延板を、荒鈍（焼鈍）することなしに、冷間圧延して、共通して２ｍｍの板厚の冷延板を得た。
【００７０】
各例での冷延の工程数は２あるいは３としたが、共通して各冷延工程１回当たりのパス回数は３とした。また、冷圧工程間の中間焼鈍は、連続焼鈍炉の場合は昇温は２００℃／ｍｉｎ、冷却はファン空冷で行い、バッチ焼鈍炉の場合は昇降温は４０℃／ｈｒで行った。
【００７１】
表２のうち、発明例１、３、５、比較例１３、１６が連続焼鈍で、他は全てバッチ焼鈍である。また、表２の発明例のうち、冷延工程を３工程とした発明例７、８、９、１１は、共通して、冷延１工程目で１０ｍｍの熱延板を板厚５ｍｍまで冷延し、表３に記載した３工程目（最終冷延工程）の各冷延率となるように、冷延２工程目の冷延率を設定した。
冷延工程を２工程とした他の発明例や比較例では、共通して、表３に記載した２工程目（最終冷延工程）の各冷延率となるように、冷延１工程目の冷延率を設定した。
【００７２】
これらの冷延板を、各例とも共通して４９０℃×１分の溶体化処理を行い、強制空冷して室温まで冷却しＴ４材を得た。このＴ４材を室温で１週間時効させた後に、供試材を採取して、０．２％耐力を測定し、伸びフランジ性を評価するためのバーリング試験を行った。また、集合組織を調査した。これらの結果を各々表３に示す。
【００７３】
伸びフランジ性：
前記Ｔ４材から１辺が１００ｍｍの正方形の板（サンプル）を採取して、この板中央に直径１０ｍｍの穴を機械加工で開けた上で、以下の２種類のポンチを用いてバーリング（穴広げ）試験を行った。なお、このバーリング試験前に、前記サンプルを４００℃×０．１ｓの復元処理を施して時効硬化を一旦キャンセルした後で、この処理の４時間以内にバーリング試験を実施した。
（１）円錐ポンチ：φ33、 角度60°、ダイス：φ35、R5
（２）円筒ポンチ：φ40、 肩R5、ダイス：φ52.4、肩R6
【００７４】
バーリング試験は、東京衡機製作所製５００ｋＮ深絞り試験機を用い、打抜き穴の縁に破断が発生した段階でポンチを止め、破断後の穴内径（ｄs）と成形試験前の初期穴径（ｄ０）から、下記式によって、円筒ポンチでのバーリング率λ（％）と、円錐ポンチでのバーリング率λ（％）を各々を求めた。
λ＝（ｄs−ｄ０）／ｄ０×１００
【００７５】
（集合組織、平均結晶粒径）
前記Ｔ４材の板状試験片の集合組織、平均結晶粒径の測定は、板の幅方向断面の組織を前記した測定方法により行った。測定は、ＴＳＬ社製ＥＢＳＰ測定・解析システム(ＯＩＭ）を搭載した、日本電子社製ＳＥＭ（JEOL JSM 6500F）を用いた。各例とも、板の幅方向断面の任意の箇所から採取した試験片５個について各々行い、これらの測定値を各々平均化した。各試験片の測定領域は共通して圧延方向に平行な断面の圧延方向４００μｍ×最表層から板厚方向１００μｍの領域とし、測定ステップ間隔も共通して０．４μｍとした。
【００７６】
また、構造部材への成形加工後の人工時効硬化処理を模擬して、Ｔ６処理として、前記Ｔ４材を、９０℃×３ｈｒ＋１４０℃×８ｈｒの２段階の共通する条件で、人工時効硬化処理を行った。こうして得られた人工時効硬化処理後のアルミニウム合金板の中央部から板状試験片を採取して、機械的特性や耐食性を以下のようにして調査した。これらの結果も各々表３に示す。
【００７７】
(機械的特性)
各例とも採取した板状試験片の圧延方向に対して平行方向の室温引張試験を行い、引張強度（ＭＰａ）、０．２％耐力（ＭＰａ）、全伸び（％）を測定した。室温引張り試験はＪＩＳ２２４１（１９８０）に基づき、室温２０℃で試験を行った。引張り速度は５ｍｍ／分で、試験片が破断するまで一定の速度で行った。
【００７８】
（微細析出物）
各例とも、参考として、前記Ｔ４材の板状試験片の表面から板厚中心である１／２ｔ深さ部の断面を、倍率３０００００倍の透過型電子顕微鏡により観察し、結晶粒内の２．０〜２０ｎｍのサイズの析出物の平均数密度（個／μｍ３）を測定した。この観察を試験片５個について行い、結晶粒内の２．０〜２０ｎｍのサイズの析出物の数密度を各々求めて、平均化（平均数密度と）したところ、各発明例ともに、２．０〜２０ｎｍのサイズの析出物の数密度は平均で２〜９×１０４個／μｍ３の範囲であった。ここで、析出物のサイズは面積が等価な円の直径に換算して測定した。
【００７９】
(粒界腐食感受性)
耐食性評価として、旧JIS-W1103 の規定に準じた粒界腐食感受性試験を、前記人工時効硬化処理後の板状試験片（試験片３個）に対して行った。試験条件は、試験片を硝酸水溶液（３０質量％）に室温で１分間浸漬した後、水酸化ナトリウム水溶液（５質量％）に４０℃で２０秒浸漬した後、硝酸水溶液（３０質量％）に室温で1分間浸漬することによって試験片の表面を洗浄した。その後、塩化ナトリウム水溶液（５質量％）に浸漬した状態で、１ｍＡ／ｃｍ２の電流密度の電流を２４時間流した後、試料を引き上げ、その後、試験片の断面を切断・研磨し、光学顕微鏡を用いて、試料表面からの腐食深さを測定した。倍率は×１００とし、腐食深さが２００μm 以下までを軽微な腐食として「○」と評価した。また、２００μm を超える場合を大きな腐食として「×」と評価した。
【００８０】
（耐ＳＣＣ性）
更に、耐食性評価として、耐ＳＣＣ性評価試験を、前記人工時効硬化処理後の板状試験片に対して行った。試験条件は、５０ｍｍ×１０ｍｍの短冊状試験片に、３点支持法によって、試験片長手方向に負荷応力２４０Ｎ／ｍｍ２をかけ、９０〜９５℃に保持したクロム酸水溶液（純水１５リットルに、塩化ナトリウム３０ｇ／リットルを１５リットル、無水クロム酸カリウム３６ｇ／リットルを１５リットル、重クロム酸カリウム３０ｇ／リットルを１５リットル加えた水溶液）に浸漬し、割れが発生するまでの時間が７時間以上を「○」、７時間未満を「×」と評価した。この耐ＳＣＣ性評価試験は、前記付加応力のレベルを含めて、構造材用のアルミニウム合金押出材の耐ＳＣＣ性評価試験を模擬しており、板の評価試験としては厳しい条件となっている。
【００８１】
表１〜３から明らかなように、各発明例は、本発明アルミニウム合金組成範囲内であり、前記した好ましい均熱処理条件と冷延条件の範囲内で製造されている。この結果、Ｔ４材の組織として、平均結晶粒径が５０μｍ以下であるとともに、[Ｃｕｂｅ]+[ＣＲ]≧１０％、０．３３≦[Ｃｕｂｅ]/[ＣＲ]≦３．０、[Ｂｒａｓｓ]+[Ｓ]+[Ｃｕ]＜３０％を満足する。
【００８２】
この結果、バーリング試験における円筒ポンチでのバーリング率λが４０％以上、円錐ポンチでのバーリング率λも６０％以上で、伸びフランジ性に優れている。また、Ｔ６材の０．２％耐力も３７０ＭＰａ以上、高いものでは４００ＭＰａ以上であり、耐粒界腐食性や耐ＳＣＣ性などの耐食性にも優れている。ただ、Ｚｎ含有量が上限に近い表２、３の発明例４（表1の発明例４の合金組成）は、耐粒界腐食性や耐ＳＣＣ性につき、今回の評価では〇であるが、Ｚｎ含有量が低い他の発明例に比して、より厳しい腐食環境下では不利となる。
【００８３】
これに対して、各比較例は、合金組成が、表１の通り、本発明範囲から外れるか、合金組成は表１の通り本発明範囲内であるものの、前記した好ましい均熱処理条件と冷延条件の範囲からはずれて、各々製造されている。
【００８４】
表２の比較例１２は、従来の一回均熱である。このため、表１の発明例１の合金組成を用いているものの、表３の通り、Ｔ４材の集合組織が、[Ｃｕｂｅ]＋[ＣＲ]が１０％未満、[Ｃｕｂｅ]／[ＣＲ]が０．３３未満、[Ｂｒａｓｓ]＋[Ｓ]＋[Ｃｕ]が３０％超、と規定から外れている。この結果、伸びフランジ性が劣る。
【００８５】
表２の比較例１３、１４は、２段均熱、２回均熱だが、１回目の均熱処理後の、冷却速度が速すぎる。このため、表１の発明例１の合金組成を用いているものの、表３の通り、Ｔ４材の集合組織が、[Ｃｕｂｅ]＋[ＣＲ]が１０％未満、[Ｂｒａｓｓ]＋[Ｓ]＋[Ｃｕ]が３０％超、と規定から外れている。この結果、伸びフランジ性が劣る。
【００８６】
表２の比較例１５、１６は、２回均熱、２段均熱だが、最終回の冷延工程における冷延率が１０％と小さすぎる。このため、表１の発明例１の合金組成を用いているものの、表３の通り、Ｔ４材の集合組織が、[Ｃｕｂｅ]＋[ＣＲ]が１０％未満、[Ｂｒａｓｓ]＋[Ｓ]＋[Ｃｕ]が３０％超、と規定から外れている。この結果、伸びフランジ性が劣る。
【００８７】
表２の比較例１７、１８は、２回均熱、２段均熱で、冷延工程を２回行っているが、この冷延工程間での、最終の冷延工程前の中間焼鈍を行っていない。このため、表１の発明例１の合金組成を用いているものの、表３の通り、Ｔ４材の集合組織が、[Ｃｕｂｅ]＋[ＣＲ]が１０％未満、[Ｂｒａｓｓ]＋[Ｓ]＋[Ｃｕ]が３０％超、と規定から外れている。この結果、伸びフランジ性が劣る。
【００８８】
表２の比較例１９は、２段均熱だが、冷延工程が１回で、冷延工程前の中間焼鈍を行っていない。このため、表１の発明例１の合金組成を用いているものの、表３の通り、Ｔ４材の集合組織が、[Ｃｕｂｅ]＋[ＣＲ]が１０％未満、[Ｃｕｂｅ]／[ＣＲ]が０．３３未満、[Ｂｒａｓｓ]＋[Ｓ]＋[Ｃｕ]が３０％超、と規定から外れている。この結果、伸びフランジ性が劣る。
【００８９】
また、表１の比較例１２、１３は、Ｚｎ、Ｍｇが下限に外れ、必須元素が少なすぎる。このため、これらの合金組成を用いた表２、３の比較例２０、２１の通り、前記した好ましい均熱処理条件と冷延条件の範囲内で製造されているものの、Ｔ４材の集合組織が、[Ｃｕｂｅ]／[ＣＲ]が３．０超で、規定から外れ、比較例２０は[Ｂｒａｓｓ]＋[Ｓ]＋[Ｃｕ]も３０％となっており、規定から外れている。このため、伸びフランジ性は優れるものの、Ｔ６材の０．２％耐力が低すぎ、強度と成形性のバランスが悪い。
【００９０】
表１の比較例１４はＣｕが下限に外れ、少なすぎる。このため、この合金組成を用いた表２、３の比較例２２の通り、前記した好ましい均熱処理条件と冷延条件の範囲内で製造されているものの、Ｔ４材の集合組織が、[Ｃｕｂｅ]／[ＣＲ]が３．０超となって、規定から外れている。このため、伸びフランジ性も低く、Ｔ６材の０．２％耐力も低すぎ、耐粒界腐食性や耐ＳＣＣ性などの耐食性にも劣る。
【００９１】
表１の比較例１５はＺｎが上限に外れ、多すぎる。このため、この合金組成を用いた表２、３の比較例２３の通り、前記した好ましい均熱処理条件と冷延条件の範囲内で製造されており、Ｔ４材の組織として、本発明で規定する集合組織条件を満たし、強度や伸びフランジ性は優れるものの、耐粒界腐食性や耐ＳＣＣ性などの耐食性が劣る。
【００９２】
表１の比較例１６はＭｇが上限に外れ、多すぎる。このため、この合金組成を用いた表２、３の比較例２４の通り、熱延で割れが発生して、板に圧延できず、集合組織の調査や特性評価もできなかった。
【００９３】
表１の比較例１７はＣｕが上限に外れ、多すぎる。このため、この合金組成を用いた表２、３の比較例２５の通り、前記した好ましい均熱処理条件と冷延条件の範囲内で製造されているものの、Ｔ４材の集合組織も、[Ｂｒａｓｓ]＋[Ｓ]＋[Ｃｕ]が３０％超、と規定から外れている。この結果、伸びフランジ性が低すぎる。
【００９４】
以上の結果から、本発明アルミニウム合金板が伸びフランジ性、高強度、そして耐食性を各々兼備するための、本発明の各要件の臨界的な意義が裏付けられる。
【００９５】
【表１】
2015071823.tif 000002
【００９６】
【表２】
2015071823.tif 000003
【００９７】
【表３】
2015071823.tif 000004
【産業上の利用可能性】
【００９８】
以上説明したように、本発明は、常法の圧延によって製造される、伸びフランジ性に優れた７０００系アルミニウム合金板を提供できる。したがって、本発明は軽量化に寄与する、伸びフランジ加工（バーリング加工、穴拡げ加工)などを含む、プレス成形や加工が施される、自動車、自転車、鉄道車両などの構造部材に好適である。